(57)【要約】【課題】利用者同士が交錯するおそれがなく、性別に関係なく利用しやすい共用トイレを提供する。【解決手段】隔壁２４で仕切られた複数のトイレブース１８を備えた共用トイレ１０であって、共用トイレ１０に入るための専用入口１４と、共用トイレ１０から出るための専用出口１６と、トイレブース１８にそれぞれ設けられ、トイレブース１８内に入室するための入室専用ドア（Ａドア）と、トイレブース１８内から退室するための退室専用ドア（Ｂドア）と、トイレブース１８の外側に設けられ、入室専用ドア（Ａドア）と専用入口１４とを連絡する一方通行の入室用通路２０と、退室専用ドア（Ｂドア）と専用出口１６とを連絡する一方通行の退室用通路２２とを有するようにする。【選択図】図１
2020063562.tif 000002
【特許請求の範囲】
【請求項１】
隔壁で仕切られた複数のトイレブースを備えた共用トイレであって、
共用トイレに入るための専用入口と、共用トイレから出るための専用出口と、
トイレブースにそれぞれ設けられ、トイレブース内に入室するための入室専用ドアと、トイレブース内から退室するための退室専用ドアと、
トイレブースの外側に設けられ、入室専用ドアと専用入口とを連絡する一方通行の入室用通路と、退室専用ドアと専用出口とを連絡する一方通行の退室用通路とを有することを特徴とする共用トイレ。
【請求項２】
各トイレブースの退室専用ドアから他のトイレブースの退室専用ドアが直接見えないように構成されていることを特徴とする請求項１に記載の共用トイレ。
【請求項３】
入室用通路側の各トイレブースの隔壁の向きが、平面視で入室動線に対して傾斜して配置されており、この隔壁または入室専用ドアに設けられたトイレブースの空室情報を表示する空室表示が入室動線上の利用者から見やすくされていることを特徴とする請求項１または２に記載の共用トイレ。
【請求項４】
各トイレブースに設けられ、トイレブースの利用者の有無情報を感知するための人感センサーと、この人感センサーで感知した利用者の有無情報に基づいて入室専用ドアの施解錠制御を行う制御手段とを有することを特徴とする請求項１〜３のいずれか一つに記載の共用トイレ。
【請求項５】
トイレブース内には、大便器と小便器とがそれぞれ設置されていることを特徴とする請求項１〜４のいずれか一つに記載の共用トイレ。
【発明の詳細な説明】
【技術分野】
【０００１】
本発明は、利用者同士の交錯のないジェンダー・ニュートラルな共用トイレに関するものである。
【背景技術】
【０００２】
従来、不特定多数の人の利用がある施設のトイレは男女別に分かれていることが一般的である（例えば、特許文献１を参照）。しかしながら、いわゆるトランスジェンダー（心と体の性が一致しない人）の利用者にとって、男女別に分かれたトイレは、心理的に利用しづらいという問題があり、男女共用トイレ（例えば、多機能トイレ、コンビニエンスストアのトイレ等）の利用を望む傾向がある。
【０００３】
男女共用で利用可能なトイレは、トイレブースへの入退室時に前使用者や次使用者との動線が交錯し視線を合わせる状況になる場合があり、特に異性とのすれ違いの場合は、トランスジェンダーの方以外でも多くの利用者が心理的に利用しにくい状況となっている。
【先行技術文献】
【特許文献】
【０００４】
【特許文献１】特開２００５−３５１０２２号公報
【発明の概要】
【発明が解決しようとする課題】
【０００５】
このため、性別に関係なく利用しやすく、利用者同士が交錯するおそれのない共用トイレが求められていた。
【０００６】
本発明は、上記に鑑みてなされたものであって、利用者同士が交錯するおそれがなく、性別に関係なく利用しやすい共用トイレを提供することを目的とする。
【課題を解決するための手段】
【０００７】
上記した課題を解決し、目的を達成するために、本発明に係る共用トイレは、隔壁で仕切られた複数のトイレブースを備えた共用トイレであって、共用トイレに入るための専用入口と、共用トイレから出るための専用出口と、トイレブースにそれぞれ設けられ、トイレブース内に入室するための入室専用ドアと、トイレブース内から退室するための退室専用ドアと、トイレブースの外側に設けられ、入室専用ドアと専用入口とを連絡する一方通行の入室用通路と、退室専用ドアと専用出口とを連絡する一方通行の退室用通路とを有することを特徴とする。
【０００８】
また、本発明に係る他の共用トイレは、上述した発明において、各トイレブースの退室専用ドアから他のトイレブースの退室専用ドアが直接見えないように構成されていることを特徴とする。
【０００９】
また、本発明に係る他の共用トイレは、上述した発明において、入室用通路側の各トイレブースの隔壁の向きが、平面視で入室動線に対して傾斜して配置されており、この隔壁または入室専用ドアに設けられたトイレブースの空室情報を表示する空室表示が入室動線上の利用者から見やすくされていることを特徴とする。
【００１０】
また、本発明に係る他の共用トイレは、上述した発明において、各トイレブースに設けられ、トイレブースの利用者の有無情報を感知するための人感センサーと、この人感センサーで感知した利用者の有無情報に基づいて入室専用ドアの施解錠制御を行う制御手段とを有することを特徴とする。
【００１１】
また、本発明に係る他の共用トイレは、上述した発明において、トイレブース内には、大便器と小便器とがそれぞれ設置されていることを特徴とする。
【発明の効果】
【００１２】
本発明に係る共用トイレによれば、隔壁で仕切られた複数のトイレブースを備えた共用トイレであって、共用トイレに入るための専用入口と、共用トイレから出るための専用出口と、トイレブースにそれぞれ設けられ、トイレブース内に入室するための入室専用ドアと、トイレブース内から退室するための退室専用ドアと、トイレブースの外側に設けられ、入室専用ドアと専用入口とを連絡する一方通行の入室用通路と、退室専用ドアと専用出口とを連絡する一方通行の退室用通路とを有するので、各トイレブースは入室専用ドアと退室専用ドアを通じて通り抜け可能となり、利用者は一方通行の入室用通路と退室用通路を通行して他の利用者に交錯することなくトイレブースを利用可能である。共用トイレ内で利用者同士が交錯するおそれがなくなり、前の使用者や次の使用者の姿（性別）が見えないことで、利用者の心理的な不安を解消することが可能になるという効果を奏する。
【００１３】
また、本発明に係る他の共用トイレによれば、各トイレブースの退室専用ドアから他のトイレブースの退室専用ドアが直接見えないように構成されているので、退室直後の利用者同士の視線が合うことを少なくすることができるという効果を奏する。
【００１４】
また、本発明に係る他の共用トイレによれば、入室用通路側の各トイレブースの隔壁の向きが、平面視で入室動線に対して傾斜して配置されており、この隔壁または入室専用ドアに設けられたトイレブースの空室情報を表示する空室表示が入室動線上の利用者から見やすくされているので、利用者は各トイレブースの使用状況を確認するために入室専用ドアに接近する必要はない。このため、入室動線上で利用者同士が交錯するおそれをなくすことができるという効果を奏する。
【００１５】
また、本発明に係る他の共用トイレによれば、各トイレブースに設けられ、トイレブースの利用者の有無情報を感知するための人感センサーと、この人感センサーで感知した利用者の有無情報に基づいて入室専用ドアの施解錠制御を行う制御手段とを有するので、例えば、使用中のトイレブースに次の利用者などが誤って入室するなどといった不測の事態を防ぐことができるという効果を奏する。
【００１６】
また、本発明に係る他の共用トイレによれば、トイレブース内には、大便器と小便器とがそれぞれ設置されているので、目的に合った利用ができ、衛生面に配慮することが可能になるという効果を奏する。
【図面の簡単な説明】
【００１７】
【図１】図１は、本発明に係る共用トイレの実施の形態を示す平面図である。
【図２】図２は、Ａドア（入室専用ドア）の施解錠・使用表示パターンの一例を示す図である。
【発明を実施するための形態】
【００１８】
以下に、本発明に係る共用トイレの実施の形態を図面に基づいて詳細に説明する。なお、この実施の形態によりこの発明が限定されるものではない。
【００１９】
図１に示すように、本発明の実施の形態に係る共用トイレ１０は、平面視で長方形状の部屋からなり、前後左右に配置された部屋の外壁１２と、外壁１２に囲まれた部屋内部に設けられた複数のトイレブース１８と、入室用通路２０と、退室用通路２２とを備える。
【００２０】
左側の外壁１２の前側（手前側）には、共用トイレ１０に入るための専用入口１４が設けられ、右側の外壁１２の後側（奥側）には、共用トイレ１０から出るための専用出口１６が設けられている。
【００２１】
各トイレブース１８は、４つの隔壁２４で平面視で矩形状に形成された個室型のトイレである。前側の隔壁２４の右寄りには、Ａドア（入室専用ドア）が、後側の隔壁２４の右寄りには、Ｂドア（退室専用ドア）が設けられている。Ａドアは、トイレブース１８内に入室するための専用のドアであり、Ｂドアは、トイレブース１８内から退室するための専用のドアである。このように、トイレブース１８に入室専用と退室専用のドアをそれぞれ設けて用途を明確に区別する。
【００２２】
入室用通路２０は、各トイレブース１８の前側外部（手前側外部）に設けられた左右方向に延びる通路であり、専用入口１４と各Ａドアを連絡する。この入室用通路２０は、専用入口１４から各Ａドアに向かって一方通行に設定されている。
【００２３】
退室用通路２２は、各トイレブース１８の後側外部（奥側外部）に設けられた左右方向に延びる通路であり、各Ｂドアと専用出口１６を連絡する。この退室用通路２２は、各Ｂドアから専用出口１６に向かって一方通行に設定されている。
【００２４】
このように、共用トイレ１０内での利用動線を一方通行にすることで、利用者同士の動線が交錯し、視線を合わせることをなくすことができる。
【００２５】
各トイレブース１８は、左右方向に隣接配置される。図の例では、同一の矩形状の４つのトイレブース１８が左右方向に隣接配置されている。各トイレブース１８を区画する前後左右の隔壁２４は、平面視で左右方向に延びる直線（前後の外壁１２に平行な直線）に対して若干傾斜するとともに、各トイレブース１８の中心は左右方向に延びる直線に平行な直線上に位置するように配置されている。具体的には、Ａドア側の隔壁２４が専用入口１４に向くように傾斜し、Ｂドア側の隔壁２４が専用出口１６に向くように傾斜している。隣り合うトイレブース１８の前側の隔壁２４間の境界部には、平面視でＬ字状の段差が形成される。後側の隔壁２４間にも同様の段差が形成される。このため、各トイレブース１８のＢドアから他のトイレブース１８のＢドアが直接見えないようになっており、利用者同士の視線が合うことを少なくすることができる。また、Ａドア側の隔壁２４が専用入口１４に向くように傾斜しているので、後述するＡドアの扉外面に設置した使用表示器２６による空室表示が見やすくなる。
【００２６】
トイレブース１８の内部には、大便器２８、小便器３０、手洗器・鏡３２、ハンドドライヤー３４、人感センサー３６（動作センサー）、非常呼出ボタン３８などのトイレ用設備が設けられている。具体的には、大便器２８と小便器３０は、トイレブース１８内部の左側において仕切り壁４０を挟んで設けられている。このように、トイレブース１８内に大便器２８と小便器３０をそれぞれ設置することで、目的に合った利用ができ、衛生面に配慮することが可能となる。
【００２７】
また、手洗器・鏡３２とハンドドライヤー３４は、トイレブース１８内部の右側に設けられている。非常呼出ボタン３８は、防犯対策などのためのものであり、仕切り壁４０の大便器２８側に取り付けられている。利用者はこの非常呼出ボタン３８を押すことで、外部のトイレ管理者などに非常呼び出しの旨を報知することができる。
【００２８】
人感センサー３６は、トイレブース１８の中央天井部に設けられている。この人感センサー３６は、トイレブース１８の利用者の有無情報を随時感知するものである。人感センサー３６は、トイレブース１８に人が居ると、これを感知して「利用者有り」の信号を出力し、トイレブース１８に人が居ないと、「利用者無し」の信号を出力する。そして、図示しない送信装置がこれらの信号（利用者の有無情報）を外部の受信装置を介して制御装置（制御手段）に随時送るようになっている。制御装置は、受信したこれらの信号に基づいてＡドアの施解錠制御を行う。これにより、使用中のトイレブース１８に次の利用者などが誤って入室するなどといった不測の事態を防ぐことができる。
【００２９】
Ａドアは、自閉式引戸であり、トイレブース１８内部から手動で施錠を行えるとともに、人感センサー３６が「利用者無し」を感知することによって自動解錠される電気錠装置を備えている。Ａドアの扉外面には、入室動線上の利用者から見やすい位置に使用表示器２６（空室表示）が設置されている。使用表示器２６は、トイレブース１８が使用中か空室かの情報表示を行うためのものである。この使用表示器２６は、Ａドアの施解錠状態に連動して、例えば「使用中」または「空室」の表示を行うように構成されている。具体的には、図２に示すように、Ａドアが施錠状態であると「使用中」を表示し、Ａドアが解錠状態であると「空室」を表示する。
【００３０】
Ｂドアは、自閉式引戸であり、いわゆるホテルロック式の錠装置を備えている。このＢドアは、トイレブース１８内部からのみ手動で解錠・開扉が可能である。
【００３１】
上記構成の動作および作用について説明する。
図１に示すように、共用トイレ１０の利用者は専用入口１４から入室用通路２０に入り、各Ａドアの使用表示器２６を見て空室情報を把握する。各使用表示器２６は、専用入口１４側に向いた各Ａドアの扉外面の見やすい位置に設けられているので、各トイレブース１８の使用状況は専用入口１４の利用者から一目瞭然である。このため、利用者は、各トイレブース１８の近くまで行って使用状況を確認する必要はない。このため、入室動線上で利用者同士が交錯するおそれをなくすことができる。
【００３２】
利用者は、「空室」が表示されたＡドアに向けて進み、Ａドアからトイレブース１８内に入室する。入室用通路２０は専用入口１４から一方通行に設定されているため、ここを通行する利用者が、前回の使用者や次回の使用者と交錯するおそれはない。
【００３３】
続いて、トイレブース１８内に入室した利用者がＡドアを施錠すると、これにより使用表示器２６には「使用中」が表示される。また、トイレブース１８内に利用者が居ることによって、人感センサー３６が「利用者有り」を感知する。
【００３４】
トイレブース１８を使用した利用者がＢドアを解錠して退室すると、人感センサー３６が「利用者無し」を感知することによって反対側のＡドアが自動解錠される。これにより使用表示器２６には「空室」が表示される。Ｂドアは外から開かないように自動施錠される。
【００３５】
利用者が、退室用通路２２を通って専用出口１６から共用トイレ１０を出る。退室用通路２２は各Ｂドアから専用出口１６に向かって一方通行に設定されているため、ここを通行する利用者は、前回の使用者や次回の使用者と交錯することはない。また、平面視でＬ字状の段差により、各トイレブース１８のＢドアから他のトイレブース１８のＢドアは直接見えないので、退室直後の利用者同士の視線が合うことを少なくすることができる。
【００３６】
このように、各トイレブース１８にＡドアとＢドアを設けて通り抜け可能とし、トイレブース１８に入室する入室動線（入室用通路２０）と、トイレブース１８から退室する退室動線（退室用通路２２）とが重ならないように配置することで、共用トイレ１０内で利用者同士が交錯するおそれをなくすことができる。前使用者や次使用者の姿（性別）が見えないことで、心理的な不安を解消することが可能となる。
【００３７】
このため、本実施の形態によれば、利用者が他の利用者の性別等を気にすることがなく、心理的に利用しやすいジェンダー・ニュートラルな共用トイレを提供することができる。これにより、トランスジェンダーの方の利用がしやすくなるとともに、男女共用トイレとしても使いやすいトイレ、すなわち性別に関係なく使用しやすい共用トイレを実現することができる。
【００３８】
なお、上記の実施の形態では、使用表示器２６をＡドアの扉外面に設置した場合を例にとり説明したが、本発明の使用表示器２６の設置位置はこれに限るものではない。このようにする代わりに、例えば、Ａドア近傍の隔壁２４などに使用表示器２６を設けてもよい。このようにしても、上記と同様の作用効果を奏することができる。
【００３９】
また、上記の実施の形態では、４つのトイレブース１８が左右方向に隣接配置される場合を例にとり説明したが、本発明はこれに限るものではなく、２つ以上のトイレブース１８を任意方向に隣接配置してもよいし、さらに間隔をあけて配置してもよい。ただし、トイレブース１８の間に入室用通路２０と退室用通路２２を連絡する通路ができないように壁などで塞ぐことが望ましい。このようにしても、上記と同様の作用効果を奏することができる。
【００４０】
また、各トイレブース１８が平面視で若干傾斜した配置で、各境界部に段差が形成される場合を例にとり説明したが、本発明はこれに限るものではない。例えば、各トイレブース１８を傾斜させなくてもよいし、さらに各トイレブース１８の配置位置を前後方向に若干ずらして配置することで各境界部に同様の段差が形成されるようにしてもよい。あるいは、隣り合うトイレブース１８間に、他のトイレブース１８のＢドアを見えなくするための突出壁などを設けてもよい。このようにしても、上記と同様の作用効果を奏することができる。
【００４１】
以上説明したように、本発明に係る共用トイレによれば、隔壁で仕切られた複数のトイレブースを備えた共用トイレであって、共用トイレに入るための専用入口と、共用トイレから出るための専用出口と、トイレブースにそれぞれ設けられ、トイレブース内に入室するための入室専用ドアと、トイレブース内から退室するための退室専用ドアと、トイレブースの外側に設けられ、入室専用ドアと専用入口とを連絡する一方通行の入室用通路と、退室専用ドアと専用出口とを連絡する一方通行の退室用通路とを有するので、各トイレブースは入室専用ドアと退室専用ドアを通じて通り抜け可能となり、利用者は一方通行の入室用通路と退室用通路を通行して他の利用者に交錯することなくトイレブースを利用可能である。共用トイレ内で利用者同士が交錯するおそれがなくなり、前の使用者や次の使用者の姿（性別）が見えないことで、利用者の心理的な不安を解消することが可能になる。
【００４２】
また、本発明に係る他の共用トイレによれば、各トイレブースの退室専用ドアから他のトイレブースの退室専用ドアが直接見えないように構成されているので、退室直後の利用者同士の視線が合うことを少なくすることができる。
【００４３】
また、本発明に係る他の共用トイレによれば、入室用通路側の各トイレブースの隔壁の向きが、平面視で入室動線に対して傾斜して配置されており、この隔壁または入室専用ドアに設けられたトイレブースの空室情報を表示する空室表示が入室動線上の利用者から見やすくされているので、利用者は各トイレブースの使用状況を確認するために入室専用ドアに接近する必要はない。このため、入室動線上で利用者同士が交錯するおそれをなくすことができる。
【００４４】
また、本発明に係る他の共用トイレによれば、各トイレブースに設けられ、トイレブースの利用者の有無情報を感知するための人感センサーと、この人感センサーで感知した利用者の有無情報に基づいて入室専用ドアの施解錠制御を行う制御手段とを有するので、例えば、使用中のトイレブースに次の利用者などが誤って入室するなどといった不測の事態を防ぐことができる。
【００４５】
また、本発明に係る他の共用トイレによれば、トイレブース内には、大便器と小便器とがそれぞれ設置されているので、目的に合った利用ができ、衛生面に配慮することが可能になる。
【産業上の利用可能性】
【００４６】
以上のように、本発明に係る共用トイレは、不特定多数の人が利用する施設に設けられる共用トイレに有用であり、特に、トイレブースへの入退室時に前使用者や次使用者との動線が交錯するのを防いで、利用者同士が視線を合わせる事態を回避するのに適している。
【符号の説明】
【００４７】
１０  共用トイレ
１２  外壁
１４  専用入口
１６  専用出口
１８  トイレブース
２０  入室用通路
２２  退室用通路
２４  隔壁
２６  使用表示器（空室表示）
２８  大便器
３０  小便器
３２  手洗器・鏡
３４  ハンドドライヤー
３６  人感センサー
３８  非常呼出ボタン
４０  仕切り壁
Ａドア  入室専用ドア
Ｂドア  退室専用ドア
【図１】
2020063562.tif 000003
【図２】
2020063562.tif 000004